(57)【要約】【課題】二次電池の劣化の加速を防ぐ情報処理装置、電源制御方法、プログラム及び記録媒体を提供する。【解決手段】電力を供給する二次電池の充放電サイクル回数の増加に応じて、情報処理装置が消費する電力の上限値が小さくなるよう制御することを特徴とする。これにより、二次電池が有するサイクル特性を考慮し、放充電サイクル回数に応じて、情報処理装置の動作電力を制限することで、電流の増大と電圧低下の悪循環による放電容量の減少を抑え、結果的に放充電サイクル数の増加も抑えることで、電池の劣化加速を防止することが出来る。【選択図】図３
2010183743.tif 000002
【特許請求の範囲】
【請求項１】
電力を供給する二次電池の充放電サイクル回数の増加に応じて、情報処理装置が消費する電力の上限値が小さくなるよう制御することを特徴とする情報処理装置。
【請求項２】
二次電池から電源供給を受け得る情報処理装置であって、
前記二次電池から充放電サイクルの回数情報を取得する取得手段と、
前記取得した充放電サイクルの回数情報に基づいて、複数の装置動作モードのうちいずれを実行するか判断する第一の判断手段と、
前記判断された装置動作モードを実行する制御手段と、
を備えることを特徴とする情報処理装置。
【請求項３】
前記充放電サイクルの回数に対応した装置動作モードを予め定めて記憶する記憶手段を備え、
前記第一の判断手段は、前記記憶手段に予め定めて記憶されている、充放電サイクルの回数と装置動作モードとの対応関係を基準として判断することを特徴とする請求項２記載の情報処理装置。
【請求項４】
二次電池から電源供給を受け得る情報処理装置であって、
前記二次電池から充放電サイクルの回数情報を取得する取得手段と、
前記取得した充放電サイクルの回数情報に基づいた前記情報処理装置の消費電力上限値を判断し、前記情報処理装置の現在の動作電力を確認し、前記確認した現在の動作電力が前記消費電力上限値を超えているか否か判断し、超えていた場合には、前記取得した充放電サイクルの回数情報に基づいて、複数の装置動作モードのうちいずれを実行するか判断する第二の判断手段と、
前記判断された装置動作モードを実行する制御手段と、
を備えることを特徴とする情報処理装置。
【請求項５】
前記充放電サイクルの回数に対応した消費電力上限値及び装置動作モードを予め定めて記憶する記憶手段を備え、
前記第二の判断手段は、前記記憶手段に予め定めて記憶されている、充放電サイクルの回数、消費電力上限値、及び装置動作モードの対応関係を基準として判断することを特徴とする請求項４記載の情報処理装置。
【請求項６】
前記複数の装置動作モードは、通常の動作で前記情報処理装置が消費する電力より少ない消費電力とする省電力モードを少なくとも含み、
前記省電力モードは、前記消費電力の少なさに応じてレベル分けされた複数の省電力モードであることを特徴とする請求項２から５のいずれか１項記載の情報処理装置。
【請求項７】
二次電池から電源供給を受け得る情報処理装置の電源制御方法であって、
前記二次電池から充放電サイクルの回数情報を取得するステップと、
前記取得した充放電サイクルの回数情報に基づいて、複数の装置動作モードのうちいずれを実行するか判断するステップと、
前記判断された装置動作モードを実行するよう制御するステップと、
を備えることを特徴とする電源制御方法。
【請求項８】
二次電池から電源供給を受け得る情報処理装置の電源制御方法であって、
前記二次電池から充放電サイクルの回数情報を取得するステップと、
前記取得した充放電サイクルの回数情報に基づいた前記情報処理装置の消費電力上限値を判断するステップと、
前記情報処理装置の現在の動作電力を確認するステップと、
前記確認した現在の動作電力が前記消費電力上限値を超えているか否か判断するステップと、
超えていた場合には、前記取得した充放電サイクルの回数情報に基づいて、複数の装置動作モードのうちいずれを実行するか判断するステップと、
前記判断された装置動作モードを実行するよう制御するステップと、
を備えることを特徴とする電源制御方法。
【請求項９】
二次電池から電源供給を受け得る情報処理装置の電源制御プログラムであって、
前記二次電池から充放電サイクルの回数情報を取得する処理と、
前記取得した充放電サイクルの回数情報に基づいて、複数の装置動作モードのうちいずれを実行するか判断する処理と、
前記判断された装置動作モードを実行するよう制御する処理と、
をコンピュータに実行させることを特徴とする電源制御プログラム。
【請求項１０】
二次電池から電源供給を受け得る情報処理装置の電源制御プログラムであって、
前記二次電池から充放電サイクルの回数情報を取得する処理と、
前記取得した充放電サイクルの回数情報に基づいた前記情報処理装置の消費電力上限値を判断する処理と、
前記情報処理装置の現在の動作電力を確認する処理と、
前記確認した現在の動作電力が前記消費電力上限値を超えているか否か判断する処理と、
超えていた場合には、前記取得した充放電サイクルの回数情報に基づいて、複数の装置動作モードのうちいずれを実行するか判断する処理と、
前記判断された装置動作モードを実行するよう制御する処理と、
をコンピュータに実行させることを特徴とする電源制御プログラム。
【請求項１１】
請求項９又は１０記載の電源制御プログラムの処理を記録するコンピュータ読取り可能な記録媒体。
【発明の詳細な説明】
【技術分野】
【０００１】
本発明は、情報処理装置、電源制御方法、プログラム及び記録媒体に関し、特に二次電池の劣化の加速を防ぐ情報処理装置、電源制御方法、プログラム及び記録媒体に関する。
【背景技術】
【０００２】
充電を行うことが可能な二次電池に関する技術としては、例えば自動車用電源を始め、電力貯蔵用電源、通信用電源等に広く使われている鉛蓄電池が古くから知られている（特許文献１参照）。近年では、ニッカド電池、ニッケル水素電池、リチウムイオン電池などの比較的小型の二次電池も広く使われている（特許文献２参照）。特にリチウムイオン電池は、負極に金属リチウムを使用しないため安全性が高く、高エネルギー密度が得られる電池として注目され、小型で軽いという点からも、近年普及している小型の各種電子機器の電源として広く使われている（特許文献３、４参照）。
【先行技術文献】
【特許文献】
【０００３】
【特許文献１】特開２００７−８７８７１号公報
【特許文献２】特開平６−１４８２９８号公報
【特許文献３】特開平８−１０２３２３号公報
【特許文献４】特開平１１−５５８６６号公報
【発明の概要】
【発明が解決しようとする課題】
【０００４】
一般に二次電池は、満充電の状態からゆるいカーブで電圧が下がっていき、放電終止電圧まで下がると放電終了となる。満充電から放電終了まで、電池から取り出して放電できる電気量である放電容量は、放電電流や電池温度等によって異なる。
【０００５】
例えばニッカド電池、ニッケル水素電池、リチウムイオン電池などの比較的小型の二次電池では、電池温度が低下するほど二次電池の内部抵抗が増加する。従って同じ充電条件で充電を行った後に放電させたとき、放電レートが同一であっても環境温度に伴う電池温度によって放電容量に差が生じる放電温度特性を有する（例えば特開２００３−２３２８３９参照）。また、放電電流が大きくなるに従い（ハイレート放電）、放電容量が低下する放電負荷特性（放電レート特性）を有する。放電電流を大きくしたときの容量低下は、電極の内部抵抗に起因することが一例として考えられる。さらに、充放電を繰り返すことで電極材や電解液等が劣化し、放電容量が徐々に低下するサイクル特性を有する。
【０００６】
上記のような特性を有する二次電池は、放充電を繰り返すことで放電容量が小さくなり、電圧（Ｖ）が下がるが、該二次電池から供給を受ける電子機器が必要とする動作電力（Ｗ）は変わらないため、これを維持するために放電電流Ａが増加される（動作電力（Ｗ）＝電流（Ａ）×電圧（Ｖ））。しかし、電流の負荷により電圧が徐々に低下していくため、一定の電力を維持するためには更に電流を大きくする必要がある。このように、一定の電力を維持するために、電流の増加と電圧の低下とが繰り返されるという悪循環が生じ、結果として放電容量が更に小さくなる。放電容量が小さくなっているにも係らず上述のように一定の電力を維持し続けるため、放電終了の時期が早まり、放充電サイクルが増加し、二次電池の劣化が加速する。
【０００７】
本発明はこのような状況に鑑みてなされたものであり、二次電池の劣化の加速を防ぐことを目的とする。
【課題を解決するための手段】
【０００８】
本発明に係る第１の情報処理装置は、電力を供給する二次電池の充放電サイクル回数の増加に応じて、情報処理装置が消費する電力の上限値が小さくなるよう制御することを特徴とする。
【０００９】
本発明に係る第２の情報処理装置は、二次電池から電源供給を受け得る情報処理装置であって、前記二次電池から充放電サイクルの回数情報を取得する取得手段と、前記取得した充放電サイクルの回数情報に基づいて、複数ある装置動作モードのうちいずれを実行するか判断する第一の判断手段と、前記判断された装置動作モードを実行する制御手段と、を備えることを特徴とする。
【００１０】
本発明に係る第３の情報処理装置は、二次電池から電源供給を受け得る情報処理装置であって、前記二次電池から充放電サイクルの回数情報を取得する取得手段と、前記取得した充放電サイクルの回数情報に基づいた前記情報処理装置の消費電力上限値を判断し、前記情報処理装置の現在の動作電力を確認し、前記確認した現在の動作電力が前記消費電力上限値を超えているか否か判断し、超えていた場合には、前記取得した充放電サイクルの回数情報に基づいて、複数の装置動作モードのうちいずれを実行するか判断する第二の判断手段と、前記判断された装置動作モードを実行する制御手段と、を備えることを特徴とする。
【００１１】
本発明に係る第１の電源制御方法は、二次電池から電源供給を受け得る情報処理装置の電源制御方法であって、前記二次電池から充放電サイクルの回数情報を取得するステップと、前記取得した充放電サイクルの回数情報に基づいて、複数の装置動作モードのうちいずれを実行するか判断するステップと、前記判断された装置動作モードを実行するよう制御するステップと、を備えることを特徴とする。
【００１２】
本発明に係る第２の電源制御方法は、二次電池から電源供給を受け得る情報処理装置の電源制御方法であって、前記二次電池から充放電サイクルの回数情報を取得するステップと、前記取得した充放電サイクルの回数情報に基づいた前記情報処理装置の消費電力上限値を判断するステップと、前記情報処理装置の現在の動作電力を確認するステップと、前記確認した現在の動作電力が前記消費電力上限値を超えているか否か判断するステップと、超えていた場合には、前記取得した充放電サイクルの回数情報に基づいて、複数の装置動作モードのうちいずれを実行するか判断するステップと、前記判断された装置動作モードを実行するよう制御するステップと、を備えることを特徴とする。
【００１３】
本発明に係る第１の電源制御プログラムは、二次電池から電源供給を受け得る情報処理装置の電源制御プログラムであって、前記二次電池から充放電サイクルの回数情報を取得する処理と、前記取得した充放電サイクルの回数情報に基づいて、複数の装置動作モードのうちいずれを実行するか判断する処理と、前記判断された装置動作モードを実行するよう制御する処理と、をコンピュータに実行させることを特徴とする。
【００１４】
本発明に係る第２の電源制御プログラムは、二次電池から電源供給を受け得る情報処理装置の電源制御プログラムであって、前記二次電池から充放電サイクルの回数情報を取得する処理と、前記取得した充放電サイクルの回数情報に基づいた前記情報処理装置の消費電力上限値を判断する処理と、前記情報処理装置の現在の動作電力を確認する処理と、前記確認した現在の動作電力が前記消費電力上限値を超えているか否か判断する処理と、超えていた場合には、前記取得した充放電サイクルの回数情報に基づいて、複数の装置動作モードのうちいずれを実行するか判断する処理と、前記判断された装置動作モードを実行するよう制御する処理と、をコンピュータに実行させることを特徴とする。
【００１５】
本発明に係る記録媒体は、上記本発明に係る第１又は第２の電源制御プログラムの処理を記録するコンピュータ読取り可能な記録媒体である。
【発明の効果】
【００１６】
本発明によれば、二次電池の劣化の加速を防ぐことを可能とする。
【図面の簡単な説明】
【００１７】
【図１】本発明の実施形態に係る情報処理装置１の機能ブロック図である。
【図２】本発明の実施形態に係る装置動作モード一覧の一例である。
【図３】本発明の実施形態に係る情報処理装置１の動作処理を示すフローチャートである。
【図４】本発明の実施形態に係る充放電サイクルの回数情報に応じた装置動作モードの一例である。
【図５】本発明の他の実施形態に係る情報処理装置１の動作処理を示すフローチャートである。
【図６】本発明の他の実施形態に係る充放電サイクルの回数情報に応じた装置の消費電力上限値の一例である。
【発明を実施するための形態】
【００１８】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１９】
本発明の実施形態に係る情報処理装置は、二次電池が有するサイクル特性を考慮し、放充電の回数（放充電サイクルの回数とも称す）に応じて、情報処理装置の動作電力を制限することで、電流の増大と電圧低下の悪循環による放電容量の減少を抑え、結果的に放充電サイクル数の増加も抑えることで、電池の劣化加速を防止することを特徴とする。
【００２０】
（構成）
図１は、本発明の実施形態に係る情報処理装置１の機能ブロック図である。図１に示す構成は、情報処理装置一般の構成も含み、全ての構成が本実施形態に必須となるものではない。
【００２１】
情報処理装置１は、電源制御部１１、システムステート制御部１２、入力制御部１３、ＣＰＵ（Central Processing Unit）１４、ＲＡＭ（Random Access Memory）１５、ＲＯＭ（Read Only Memory）１６、割り込み制御部１７、ディスク制御部１８、液晶表示装置制御部１９がシステムバス２０で接続されている。電源制御部１１には電源状態監視部１０が接続されている。入力制御部１３にはキーボード４とマウス５が接続されている。ディスク制御部１８にはディスク装置６が接続されている。液晶表示装置制御部１９には液晶表示装置７が接続されている。
【００２２】
まず、情報処理装置一般の構成について説明する。入力制御部１３は、外部入力装置から入力された情報を受信する。外部入力装置とは、例えばキーボード４、マウス５である。
【００２３】
ＣＰＵ１４は、ＲＡＭ１５及びＲＯＭ１６と連帯して、情報処理装置１全体を制御する。ＲＯＭ１６には、情報処理装置１の制御プログラム、各種アプリケーションプログラム等が予め記憶されている。ＣＰＵ１４は、ＲＯＭ１６に記憶された制御プログラムに基づいて各機能ブロックの制御を行う。また、ＲＯＭ１６に記憶されている各種アプリケーションプログラムの起動／停止及び制御等を行う。
【００２４】
割り込み制御部１７は、何らかの要因が契機となって実行中のプログラムを一時中断し、別のプログラムを実行する。
【００２５】
ディスク制御部１８は、外部記憶装置の一例であるＦＤ（Floppy（登録商標） Disk）等のディスク装置６と接続し、制御を行う。
【００２６】
液晶表示装置制御部１９は、液晶表示装置７と接続して液晶表示装置７を制御する。液晶表示装置７は表示装置の一例であり、ＬＣＤ（Liquid Crystal Display；液晶ディスプレイ）に限られることはない。情報処理装置１が表示部を有する構成としても良い。
【００２７】
ＡＣ（Alternating Current）アダプタ３は、商用電源より交流（ＡＣ）電力を入力し、直流電力を供給する。二次電池から成るバッテリ６の充電のための電流を供給することも可能である。
【００２８】
次に、本実施形態の特徴と成る構成について説明する。ここで、本明細書において、二次電池から充放電サイクルの回数情報を取得する取得手段は電源状態監視部１０、充放電サイクルの回数情報に基づいて複数の装置動作モードのうちいずれを実行するか判断する判断手段は電源制御部１１、電源制御部１１で判断された装置動作モードを実行する制御手段はシステムステート制御部１２、が実現する。また、二次電池の一例としてバッテリ２を用いる。
【００２９】
電源状態監視部１０は、電源の状態をチェックする機能を有する。本実施形態では、ＡＣアダプタ３とバッテリ２の状態を監視することが出来るが、少なくともバッテリ２の状態を監視できれば良い。バッテリ２の状態を監視した結果取得した情報は電源制御部１１に送られる。
【００３０】
電源制御部１１は、電源状態監視部１０から送られた電源状態の情報に基づき、電源を制御する。本実施形態では、特にバッテリ２を監視した結果取得した情報である充放電サイクルの回数情報に基づき、複数ある情報処理装置１全体の動作モードのうちいずれを実行するか判断する機能を有することを特徴とする。電源制御部１１は、判断した動作モードの実行をシステムステート制御部１２に命令する。
【００３１】
システムステート制御部１２は、情報処理装置１全体の装置動作モードを制御する。各動作モードへの移行自体は、システムステート制御部１２から信号を受信したＣＰＵ１４が行うことが可能である。システムステート制御部１２は、電源制御部１１からの命令に従って所定の動作モードを実行する。本実施形態において実行し得る動作モードには省電力モードが含まれる。省電力モードについては後述する。
【００３２】
バッテリ２は、リチウムイオン電池から成るセル（単位セル）が複数個直列に接続されて構成されている。さらに、バッテリ２は充放電サイクルの回数情報を有する。本実施形態において、セルの標準的な端子電圧は約３．６Ｖであり、バッテリ２が４セル有している場合、全体の端子電圧としては１４．４Ｖである。単位セルはリチウムイオン電池に限らず、他の二次電池であっても同様に適用が可能である。また、単位セルを複数個内臓して構成されるセルモジュールを、複数個直列に接続して構成されるバッテリに適用しても良い。なお、充放電サイクルの回数情報は、バッテリ自身が有する他、情報処理装置１側でバッテリを識別し、充放電サイクルを数えることも考え得る。
【００３３】
（省電力モード）
本実施形態では、Ｌｅｖｅｌ１〜３の三つの省電力モードを実行する場合を例に説明する。図２は、装置動作モード一覧の一例である。なお、通常動作モードとは、省電力モードを実行していない通常の動作状態の意である。本実施形態では、通常の動作状態での装置全体の動作によって消費する消費電力の幅は、１９Ｗ〜２９Ｗであり、装置電源状態は、装置全ての機能がＯＮで、例えば液晶表示装置７のＬＣＤ輝度は最大（８／８）とする。一覧中、「ユーザ見え」とは、情報処理装置１を使用するユーザにとって情報処理装置１の操作上どのような影響があるかを例示したものである。
【００３４】
省電力モードLevel 1は、装置全体の消費電力幅が１６Ｗ〜２６Ｗになるよう、装置電源状態を設定するモードである。例えば、全て機能ＯＮとしつつも、ＬＣＤ輝度を中間（４／８）にする等である。このとき、ユーザ見えは、液晶表示部７の表示画面が少し暗い印象となることが考え得る。
【００３５】
省電力モードLevel 2は、装置全体の消費電力幅が１４Ｗ〜２４Ｗになるよう、装置電源状態を設定するモードである。例えば、ＣＰＵ１４を省電力モードにし、さらにＬＣＤ輝度を中間（４／８）にする等である。このとき、ユーザ見えは、処理が少し遅く感じ、液晶表示部７の表示画面が少し暗い印象となることが考え得る。
【００３６】
省電力モードLevel 3は、装置全体の消費電力幅が１２Ｗ〜２２Ｗになるよう、装置電源状態を設定するモードである。例えば、ＣＰＵ１４を省電力モードにし、さらにＬＣＤ輝度を低く（２／８）する等である。このとき、ユーザ見えは、処理が少し遅く感じ、液晶表示部７の表示画面が暗い印象となることが考え得る。
【００３７】
（動作処理）
次に、本発明の実施形態に係る情報処理装置１の動作処理について図を用いて説明する。図３は、本実施形態に係る情報処理装置１の動作処理を示すフローチャートである。まず、バッテリから電源供給を受けて動作する場合に（ステップＳ１）、バッテリ状態監視部１０は、バッテリ２が有する充放電サイクルの回数情報を取得し、電源制御部１１に送る（ステップＳ２）。
【００３８】
電源制御部１１は、充放電サイクルの回数情報に応じて、どの装置動作モードを適用させるか判断する（ステップＳ３、Ｓ５、Ｓ７）。充放電サイクルの回数情報に応じた装置動作モードの一例を図４に示す。例えば、１００回未満ならば通常動作状態のまま（通常動作モード）、１００回以上２００回未満は省電力モードLevel 1、２００回以上４００回未満は省電力モードLevel 2、４００回以上は省電力モードLevel 3、とする。これらの設定は予め定め、記憶手段であるＲＯＭ１５で記憶しておいても良い。
【００３９】
電源制御部１１は、決定した装置動作モードをシステムステート制御部１２に送信する。システムステート制御部１２は、決定された装置動作モードの実行命令を行う（ステップＳ４、Ｓ６、Ｓ８、Ｓ９）。具体的には、図２に示す各モード毎に定められた消費電力内で装置を制御するよう、装置電源状態の制御を行う。例えば省電力モードLevel 2であれば、システムステート制御部１２は、ＣＰＵ１４に通常の消費電力より少ない電力（省電力モード）で処理するよう命令し、また、液晶制御部１９に液晶表示装置７のＬＣＤ輝度を中間にして消費電力を少なく制御するよう命令する。なお、装置動作モードの移行に従ってシステムステート制御部１２が出力する命令は、割り込み制御部１７を利用して行っても良い。
【００４０】
上記実施形態により、バッテリ２の放充電サイクル回数に応じて、情報処理装置１で必要とする電力（Ｗ）を制限するため、バッテリ２がサイクル特性により電圧が下がっても、情報処理装置１で必要とする電力（Ｗ）が下がれば電流（Ａ）を急激に増加する必要はない。従って、一定の電力を維持するために電流の増加と電圧の低下とが繰り返されるという悪循環を防止、放電容量が小さくなることを抑えることが出来る。これにより放充電サイクルの増加も抑えることができ、二次電池の加速を防ぐことが出来る。
【００４１】
（他の実施形態）
本発明の他の実施形態について説明する。図５は、本実施形態に係る情報処理装置１の動作処理を示すフローチャートである。バッテリから電源供給を受けて動作する場合に（ステップＳ１０）、バッテリ状態監視部１０が、バッテリ２から充放電サイクルの回数情報を取得し、電源制御部１１に送る（ステップＳ１１）。
【００４２】
電源制御部１１は、充放電サイクルの回数情報に応じて、装置の消費電力上限値を判定する（ステップＳ１２）。充放電サイクルの回数情報に応じた装置の消費電力上限値の一例を図６に示す。本実施形態では、通常動作状態のままで（通常動作モード）、可能となる消費電力上限値は２８．８Ｗである場合を前提として定める。図６に示すように、例えば１００回以上２００回未満は消費電力上限値２６．４Ｗ、２００回以上４００回未満は消費電力上限値２４．５Ｗ、４００回以上は消費電力上限値２２．４Ｗ、とする。これらの設定は予め定め、記憶手段であるＲＯＭ１５で記憶しておいても良い。
【００４３】
電源制御部１１は、現在の装置全体の動作電力を確認し（ステップＳ１３）、現在の動作電力が上記ステップＳ１２で判定した消費電力上限値を超えているか判断する（ステップＳ１４）。超えている場合は（ステップＳ１４／Ｙｅｓ）、充放電サイクルの回数情報に応じた装置動作モードに移行するよう、システムステート制御部１２に伝える。システムステート制御部１２は、決定された装置動作モードの実行命令を行う（ステップＳ１５）。システムステート制御部１２の具体的な制御は、上記実施形態と同様である。
【００４４】
現在の動作電力が上記ステップＳ１２で判定した消費電力上限値を超えていないと判断した場合は（ステップＳ１４／Ｎｏ）、再度現在の動作電力を確認する（ステップＳ１３）。現在の動作電力の確認は、例えば予め定めた一定期間毎に行っても良い。
【００４５】
以上説明したように、本実施形態は、上記実施形態では充放電サイクルの回数情報のみに応じて各装置動作モードに移行していたが、本実施形態では現在の動作電力も考慮して、動作電力が一定以上であれば、所定の装置動作モードに移行することを特徴とする。装置の動作電力には幅があり、消費電力上限値を越えていない場合には装置動作モードの移行をしなくとも、上述した電流の増加と電圧の低下とが繰り返されるという悪循環は生じず、消費電力上限値を越えた場合に装置動作モードの移行を行えば十分であるためである。
【００４６】
なお、各図のフローチャートに示す処理を実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４７】
以上、本発明を好適な実施形態に基づき具体的に説明したが、本発明は上記のものに限定されるものではなく、その要旨を逸脱しない範囲で種々変更可能であることは言うまでもない。
【符号の説明】
【００４８】
１    情報処理装置
２    バッテリ
３    ＡＣアダプタ
４    キーボード
５    マウス
６    ディスク装置
７    液晶表示装置
１１    電源制御部
１２    システムステート制御部
１３    入力制御部
１４    ＣＰＵ
１５    ＲＡＭ
１６    ＲＯＭ
１７    割り込み制御部
１８    ディスク制御部
１９    液晶表示装置制御部
２０    システムバス
【図１】
2010183743.tif 000003
【図２】
2010183743.tif 000004
【図３】
2010183743.tif 000005
【図４】
2010183743.tif 000006
【図５】
2010183743.tif 000007
【図６】
2010183743.tif 000008